(57)【要約】【課題】熱交換器の上流側の面の上部と天板のフランジ部との間の隙間の風の流れを改善し、熱交換の効率を向上させた空気調和機の室外機を提供する。【解決手段】熱交換器１２と送風機１３を内蔵し、底板８と、側板９と、前記熱交換器１２の上面を覆うと共にフランジ部１０を備えた天板１１から成る本体２３を具備し、前記フランジ部１０の一部に１つ以上の通気開口部１４を間を置いて設けたもので、前記熱交換器１２の上流側の面の上部と前記フランジ部１０との隙間に、前記フランジ部１０の一部に設けた前記通気開口部１４から風が抜け、前記熱交換器１２の上部での風の流れが良くなるので、熱交換の効率を向上させることができる。【選択図】図１
2006064329.tif 000002
【特許請求の範囲】
【請求項１】
熱交換器と送風機を内蔵し、底板と、側板と、前記熱交換器の上面を覆うと共にフランジ部を備えた天板から成る本体を具備し、前記フランジ部の一部に１つ以上の通気開口部を間を置いて設けたことを特徴とする空気調和機の室外機。
【請求項２】
フランジ部の側面に通気開口部を設けたことを特徴とする請求項１に記載の空気調和機の室外機。
【請求項３】
フランジ部の上面に通気開口部を設けたことを特徴とする請求項１又は２に記載の空気調和機の室外機。
【請求項４】
フランジ部のコーナー部に通気開口部を設けたことを特徴とする請求項１に記載の空気調和機の室外機。
【発明の詳細な説明】
【技術分野】
【０００１】
本発明は、空気調和機の室外機に関し、特に吸い込み風路の構造に関するものである。
【背景技術】
【０００２】
従来の、この種の空気調和機の室外機について、図７、８を用いて説明する。図７は、従来の空気調和機の室外機の斜視図で、図８は、図７のＡ−Ａ断面図である。
【０００３】
図において、室外機の本体は、底板１と、側板２と、強度を保つためのフランジ部３を備えた天板４から成り、その本体内に、熱交換器５と送風機６を備え、熱交換器５の上面に天板４のフランジ部３が隙間７を設けて被さっており、送風機６の作用でＢ方向に風が流れ、熱交換器５で熱交換されるようになっていた（例えば、特許文献１参照）。
【０００４】
また、天板のフランジ部での通風抵抗を避け、熱交換器の上部の風の流れを良くするため、熱交換器を２列構成すると共に、その２列の熱交換器を上下方向で配置をずらす工夫をしているものがあった（例えば、特許文献２参照）。
【特許文献１】特開平８−２２６６７２号公報
【特許文献２】特開平１０−１４１７０７号公報
【発明の開示】
【発明が解決しようとする課題】
【０００５】
しかしながら、前記従来の特許文献１に示されるような空気調和機の室外機の構成では、天板４に、強度を保つためのフランジ部３が設けられているため、熱交換器５の上流側の面の上部と天板４のフランジ部３との隙間７での風の流れが悪く、熱交換の効率が悪いという課題を有していた。
【０００６】
また、特許文献２に示されるような空気調和機の室外機の構成では、熱交換器を２列構成にするため、構成が複雑になり、大型化すると共に、高価になるという課題があった。
【０００７】
本発明は、前記従来の課題を解決するもので、簡単な構成で、強度確保のためのフランジ構造を保ちながら、天板の強度を損なうことなく、熱交換器の上流側の面の上部と天板のフランジ部との隙間の風の流れを改善し、熱交換の効率を向上させた空気調和機の室外機を提供することを目的とする。
【課題を解決するための手段】
【０００８】
前記従来の課題を解決するために、本発明の空気調和機の室外機は、熱交換器と送風機を内蔵し、底板と、側板と、前記熱交換器の上面を覆うと共にフランジ部を備えた天板から成る本体を具備し、前記フランジ部の一部に１つ以上の通気開口部を間を置いて設けたもので、前記熱交換器の上流側の面の上部と前記フランジ部との隙間に、前記フランジ部の一部に設けた前記通気開口部から風が抜け、前記熱交換器の上部での風の流れが良くなるので、熱交換の効率を向上させることができる。
【発明の効果】
【０００９】
本発明の空気調和機の室外機は、簡単な構造で、強度確保のためのフランジ構造を保ちながら、天板の強度を損なうことなく、熱交換器の上流側の面の上部と天板のフランジ部との隙間に、通気開口部から風が抜け、熱交換器の上部での風の流れが良くなるので、熱交換の効率を向上させることができる。
【発明を実施するための最良の形態】
【００１０】
第１の発明は、熱交換器と送風機を内蔵し、底板と、側板と、前記熱交換器の上面を覆うと共にフランジ部を備えた天板から成る本体を具備し、前記フランジ部の一部に１つ以上の通気開口部を間を置いて設けたもので、前記熱交換器の上流側の面の上部と前記フランジ部との隙間に、前記フランジ部の一部に設けた前記通気開口部から風が抜け、前記熱交換器の上部での風の流れが良くなるので、熱交換の効率を向上させることができる。
【００１１】
第２の発明は、特に、第１の発明のフランジ部の側面に通気開口部を設けたもので、熱交換器の上流側の面の上部と前記フランジ部との隙間に、前記フランジ部の側面に設けた前記通気開口部から風が抜け、前記熱交換器の上部での風の流れが良くなるので、熱交換の効率を向上させることができる。
【００１２】
第３の発明は、特に、第１又は第２の発明のフランジ部の上面に通気開口部を設けたもので、熱交換器の上流側の面の上部と前記フランジ部との隙間に、前記フランジ部の上面に設けた前記通気開口部から風が抜け、前記熱交換器の上部での風の流れが良くなるので、熱交換の効率を向上させることができる。
【００１３】
第４の発明は、特に、第１の発明のフランジ部のコーナー部に通気開口部を設けたもので、熱交換器の上流側の面の上部と前記フランジ部との隙間に、前記通気開口部を通して風が上方向、横方向、斜め上方向から流入するので、前記熱交換器の上部での風の流れがさらに良くなり、熱交換の効率をさらに向上させることができる。
【００１４】
（実施の形態１）
図１は、本発明の第１の実施の形態における空気調和機の室外機の斜視図、図２は、図１のＣ−Ｃ断面図である。
【００１５】
図１、図２において、空気調和機の室外機の本体２３は、底板８と、側板９と、フランジ部１０を備えた天板１１から成り、内部に熱交換器１２と送風機１３を備え、前記熱交換器１２の上面に被さる前記天板１１の前記フランジ部１０の側面に、１つ以上の通気開口部１４が間隔を置いて設けてあり、前記熱交換器１２の上流側の面の上部と前記フランジ部１０との間に隙間１５が確保されるようになっている。
【００１６】
以上のように構成された空気調和機の室外機について、以下その動作、作用を説明する。
【００１７】
まず、送風機１３が作動すると、Ｂ方向に風が流れ、前記熱交換器１２が熱交換される。この時、熱交換器１２の上流側の面の上部と天板１１のフランジ部１０との隙間１５に、フランジ部１０の側面の通気開口部１４を通してＤ方向に風が抜け、熱交換器１２の上部での風の流れが良くなる。
【００１８】
以上のように、本実施の形態によれば、熱交換器１２の上面に被さる天板１１のフランジ部１０の側面に、１つ以上の通気開口部１４を間隔を置いて設けたことにより、熱交換器１２の上流側の面の上部と天板１１のフランジ部１０との隙間１５に、フランジ部１０の側面に設けた通気開口部１４から風が抜け、熱交換器１２の上部での風の流れが良くなる。これによって、簡単な構造で、フランジ構造を保ちながら、天板１１の強度を損なうことなく、熱交換の効率を向上させることができる。
【００１９】
（実施の形態２）
図３は、本発明の第２の実施の形態における空気調和機の室外機の斜視図、図４は、図３のＥ−Ｅ断面図である。なお、上記第１の実施の形態と同一部分については、同一符号
を付してその説明を省略する。
【００２０】
本実施の形態は、図３、図４に示すように、天板１６に設けたフランジ部１７の上面に、１つ以上の通気開口部１８を間隔を置いて設けたものである。
【００２１】
以上のように構成された空気調和機の室外機について、以下その動作、作用を説明する。
【００２２】
まず、送風機１３が作動すると、Ｂ方向に風が流れ、熱交換器１２が熱交換される。この時、熱交換器１２の上流側の面の上部と天板１６のフランジ部１７との間の隙間１５に、フランジ部１７の上面に設けた通気開口部１８から、Ｆ方向に風が抜け、熱交換器１２の上部での風の流れが良くなる。
【００２３】
なお、図３、図４に示すように、第１の実施の形態に述べた通気開口部１４を併設すれば、熱交換器１２の上部での風の流れがさらに良くなることは云うまでも無い。
【００２４】
以上のように、本実施の形態によれば、熱交換器１２の上面に被さる天板１６のフランジ部１７の上面に、１つ以上の通気開口部１８を間隔を置いて設けたことにより、熱交換器１２の上流側の面の上部と天板１６のフランジ部１７との間の隙間１５に、フランジ部１７の上面の通気開口部１８から風が抜け、熱交換器１２の上部での風の流れが良くなる。これによって、簡単な構造で、強度を持たせるためのフランジ構造を保ちながら、天板１１の強度を損なうことなく、熱交換の効率を向上させることができる。
【００２５】
（実施の形態３）
図５は、本発明の第３の実施の形態における空気調和機の室外機の斜視図、図６は、図５のＧ−Ｇ断面図である。なお、上記実施の形態と同一部分については、同一符号を付してその説明を省略する。
【００２６】
上記第２の実施の形態では、フランジ部の側面と天井部に通気開口部を分離して設けたが、本実施の形態では図５、６に示すように、天板１９のフランジ部２０のコーナー部に、１つ以上の通気開口部２１を間隔を置いて配したものである。
【００２７】
以上のように構成された空気調和機の室外機について、以下その動作、作用を説明する。
【００２８】
まず、送風機１３が作動すると、Ｂ方向に風が流れ、熱交換器１２が熱交換される。この時、熱交換器１２の上流側の面の上部と天板１９のフランジ部２０との間の隙間１５に、フランジ部２０の上面コーナー部に間隔を置いて設けた通気開口部２１を通して、Ｄ方向、Ｆ方向、Ｈ方向から風が抜け、熱交換器１２の上部での風の流れが一層良くなる。
【００２９】
以上のように、本実施の形態によれば、熱交換器１２の上面に被さる天板１９のフランジ部２０の上面コーナー部に、１つ以上の通気開口部２１を間隔を置いて設けたことにより、熱交換器１２の上流側の面の上部と天板１９の前記フランジ部２０との間の隙間１５に、フランジ部２０の上面コーナー部に設けた通気開口部２１から風が抜け、熱交換器１２の上部での風の流れがさらに良くなる。これによって、簡単な構造で、外郭強度を確保するためのフランジ構造を保ちながら、天板１９の強度を損なうことなく、熱交換器１２での熱交換効率をさらに向上させることができる。
【産業上の利用可能性】
【００３０】
以上のように、本発明にかかる空気調和機の室外機は、簡単な構造で、外郭強度を確保
するためのフランジ構造を保ちながら、天板の強度を損なうことなく、熱交換器の上流側の面の上部と天板のフランジ部との隙間に、通気開口部を通して風が抜け、熱交換器の上部での風の流れが良くなり、熱交換の効率を向上させることができるので、熱交換器と送風機とフランジ部を備えた天板から成る空気調和機に広く適用できる。
【図面の簡単な説明】
【００３１】
【図１】本発明の実施の形態１における空気調和機の室外機の斜視図
【図２】図１のＣ−Ｃ断面図
【図３】本発明の実施の形態２における空気調和機の室外機の斜視図
【図４】図３のＥ−Ｅ断面図
【図５】本発明の実施の形態３における空気調和機の室外機の斜視図
【図６】図５のＧ−Ｇ断面図
【図７】従来の空気調和機の室外機の斜視図
【図８】図７のＡ−Ａ断面図
【符号の説明】
【００３２】
８  底板
９  側板
１０、１７、２０  フランジ部
１１、１６、１９  天板
１２  熱交換器
１３  送風機
１４、１８、２１  通気開口部
２３  本体
【図１】
2006064329.tif 000003
【図２】
2006064329.tif 000004
【図３】
2006064329.tif 000005
【図４】
2006064329.tif 000006
【図５】
2006064329.tif 000007
【図６】
2006064329.tif 000008
【図７】
2006064329.tif 000009
【図８】
2006064329.tif 000010